(57)【要約】【課題】基地局装置と通信装置が通信する通信システムにおいて、無線リンク間の品質をより向上させることが可能な、通信装置を提供する。【解決手段】仮想セルを示す識別子のセットを含んだシステム情報を受信する受信部と、前記セットから適用する仮想セル識別子を選択する設定部と、を備える、通信装置が提供される。【選択図】図１
2019159777.tif 000002
【特許請求の範囲】
【請求項１】
仮想セルを示す識別子のセットを含んだシステム情報を受信する受信部と、
前記セットから適用する仮想セル識別子を選択する設定部と、を備える、
通信装置。
【請求項２】
前記設定部は、高度を含む当該通信装置の位置情報に基づいて、前記仮想セル識別子を選択する
請求項１に記載の通信装置。
【請求項３】
前記設定部は、ＣＲＳで測定されるＲＳＲＰに基づいて、前記仮想セル識別子を選択する、
請求項１に記載の通信装置。
【請求項４】
前記設定部は、当該通信装置の移動速度に基づいて、前記仮想セル識別子を選択する、
請求項１に記載の通信装置。
【請求項５】
前記仮想セル識別子は、ＲＲＭ測定のためのＣＳＩ−ＲＳの設定に関連付けられる、
請求項１に記載の通信装置。
【請求項６】
前記仮想セル識別子は、物理チャネルのスクランブルに用いられる、
請求項１に記載の通信装置。
【請求項７】
前記仮想セル識別子は、参照信号のシーケンスの生成に用いられる、
請求項１に記載の通信装置。
【請求項８】
前記仮想セル識別子は、ＲＡＣＨの設定に用いられる、
請求項１に記載の通信装置。
【請求項９】
空中を浮遊する通信装置である、請求項１に記載の通信装置。
【請求項１０】
複数の仮想セルを示す識別子を設定する設定部と、
前記仮想セル識別子のセットを含んだシステム情報を送信する送信部と、を備える、
基地局装置。
【請求項１１】
仮想セルを示す識別子のセットを含んだシステム情報を受信することと、
前記セットから適用する仮想セル識別子を選択すること、
を含む、プロセッサにより実行される方法。
【請求項１２】
コンピュータに、
仮想セルを示す識別子のセットを含んだシステム情報を受信することと、
前記セットから適用する仮想セル識別子を選択すること、
を実行させる、コンピュータプログラム。
【発明の詳細な説明】
【技術分野】
【０００１】
本開示は、通信装置、基地局装置、方法およびプログラムに関する。
【背景技術】
【０００２】
セルラー移動通信の無線アクセス方式および無線ネットワーク（以下、「Long  Term  Evolution（LTE）」、「LTE-Advanced（LTE-A）」、「LTE-Advanced  Pro（LTE-A  Pro）」、「New  Radio（NR）」、「New  Radio  Access  Technology（NRAT）」、「Evolved  Universal  Terrestrial  Radio  Access（EUTRA）」、または「Further  EUTRA（FEUTRA）」とも称する。）が、第三世代パートナーシッププロジェクト（3rd  Generation  Partnership  Project:  3GPP）において検討されている。なお、以下の説明において、ＬＴＥは、LTE-A、LTE-A  Pro、およびEUTRAを含み、ＮＲは、NRAT、およびFEUTRAを含む。ＬＴＥでは基地局装置（基地局）はｅＮｏｄｅＢ（evolved  NodeB）、ＮＲでは基地局装置（基地局）はｇＮｏｄｅＢ、ＬＴＥおよびＮＲでは端末装置（移動局、移動局装置、端末）はＵＥ（User  Equipment）とも称する。ＬＴＥおよびＮＲは、基地局装置がカバーするエリアをセル状に複数配置するセルラー通信システムである。単一の基地局装置は複数のセルを管理してもよい。【０００３】
ＬＴＥおよびＮＲにおいて、ドローンなどの航空機（Aerial  vehicles）向けのセルラー通信の検討が開始されており、地上のセルラネットワークから航空機に対してサービスを提供することを目的とされている。航空機向け通信において、上空の伝搬環境は地上の伝搬環境とは異なるため、セル間干渉およびモビリティに対して課題があることが知られている。ＬＴＥおよびＮＲにおける航空機向けセルラー通信の詳細は、非特許文献１および非特許文献２に開示されている。
【先行技術文献】
【非特許文献】
【０００４】
【非特許文献１】RP-172826,  “New  WID  on  Enhanced  LTE  Support  for  Aerial  Vehicles,”  3GPP  TSG  RAN  Meeting  #78,  Lisbon,  Portugal,  December  18  -  21,  2017.
【非特許文献２】RP-170717,  “Study  on  NR  to  support  Non-Terrestrial  Networks,”  3GPP  TSG  RAN  Meeting  #75,  Dubrovnik,  Croatia,  March  6  -  9,  2017.
【発明の概要】
【発明が解決しようとする課題】
【０００５】
空中を浮遊する通信装置は、多くの周囲セルからの干渉を受け、安定な信号受信が困難になる。さらに、周囲セルにおけるセル識別子の重複により、安定的なセル接続が困難になる。【０００６】
そこで、本開示は、基地局装置と通信装置が通信する通信システムにおいて、無線リンク間の品質をより向上させることが可能な、新規かつ改良された通信装置、基地局装置、方法およびプログラムを提案する。
【課題を解決するための手段】
【０００７】
本開示によれば、仮想セルを示す識別子のセットを含んだシステム情報を受信する受信部と、前記セットから適用する仮想セル識別子を選択する設定部と、を備える、通信装置が提供される。【０００８】
また本開示によれば、複数の仮想セルを示す識別子を設定する設定部と、前記仮想セル識別子のセットを含んだシステム情報を送信する送信部と、を備える、基地局装置が提供される。【０００９】
また本開示によれば、仮想セルを示す識別子のセットを含んだシステム情報を受信することと、前記セットから適用する仮想セル識別子を選択すること、を含む、プロセッサにより実行される方法が提供される。【００１０】
また本開示によれば、コンピュータに、仮想セルを示す識別子のセットを含んだシステム情報を受信することと、前記セットから適用する仮想セル識別子を選択すること、を実行させる、コンピュータプログラムが提供される。
【発明の効果】
【００１１】
以上説明したように本開示によれば、基地局装置と通信装置が通信する通信システムにおいて、無線リンク間の品質をより向上させることが可能な、新規かつ改良された通信装置、基地局装置、方法およびプログラムを提供することが出来る。【００１２】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１３】
【図１】本開示の一実施形態に係るシステムの全体構成の一例を示す図である。
【図２】本実施形態に係る航空機をサポートするセルラネットワークの一例を示す図である。
【図３】本実施形態に係る航空機をサポートするセルラネットワークの一例を示す図である。
【図４】本実施形態に係る下りリンクスロットの一例を示す図である。
【図５】本実施形態に係る上りリンクスロットの一例を示す図である。
【図６】本実施形態に係る端末装置２００の初期接続プロシージャの一例を示すフローチャートである。
【図７】本実施形態に係る基地局装置１００の構成を示す概略ブロック図である。
【図８】本実施形態に係る端末装置２００の構成を示す概略ブロック図である。
【図９】仮想セルのデプロイメントの一例を示す図である。
【図１０】仮想セル識別子の設定シーケンスの一例を示す図である。
【図１１】本開示に係る技術が適用され得るｅＮＢの概略的な構成の第１の例を示すブロック図である。
【図１２】本開示に係る技術が適用され得るｅＮＢの概略的な構成の第２の例を示すブロック図である
【図１３】本開示に係る技術が適用され得るスマートフォンの概略的な構成の一例を示すブロック図である。
【図１４】本開示に係る技術が適用され得るカーナビゲーション装置の概略的な構成の一例を示すブロック図である。
【発明を実施するための形態】
【００１４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。また、特に明記されない限り、以下で説明される技術、機能、方法、構成、手順、およびその他全ての記載は、ＬＴＥおよびＮＲに適用できる。
【００１５】
なお、説明は以下の順序で行うものとする。
１．はじめに
２．構成例
３．ドローン
４．技術的特徴
５．応用例
６．まとめ
【００１６】
＜＜１．はじめに＞＞
＜１．１．システム構成例＞
基地局装置１００は、セル１１（１１Ａ又は１１Ｂ）を運用し、セル１１の内部に位置する１つ以上の端末装置へ無線サービスを提供する。例えば、基地局装置１００Ａは、端末装置２００Ａに無線サービスを提供し、基地局装置１００Ｂは端末装置２００Ｂに無線サービスを提供する。セル１１は、例えばＬＴＥ又はＮＲ（New  Radio）等の任意の無線通信方式に従って運用され得る。基地局装置１００は、コアネットワーク２０に接続される。コアネットワーク２０は、ＰＤＮ３０に接続される。
【００１７】
コアネットワーク２０は、ＭＭＥ（Mobility  Management  Entity）、Ｓ−ＧＷ（Serving  gateway）、Ｐ−ＧＷ（PDN  gateway）、ＰＣＲＦ（Policy  and  Charging  Rule  Function）及びＨＳＳ（Home  Subscriber  Server）を含み得る。若しくは、コアネットワーク２０は、これらと同様の機能を有するＮＲのエンティティを含み得る。ＭＭＥは、制御プレーンの信号を取り扱う制御ノードであり、端末装置の移動状態を管理する。Ｓ−ＧＷは、ユーザプレーンの信号を取り扱う制御ノードであり、ユーザデータの転送経路を切り替えるゲートウェイ装置である。Ｐ−ＧＷは、ユーザプレーンの信号を取り扱う制御ノードであり、コアネットワーク２０とＰＤＮ３０との接続点となるゲートウェイ装置である。ＰＣＲＦは、ベアラに対するＱｏＳ（Quality  of  Service）等のポリシー及び課金に関する制御を行う制御ノードである。ＨＳＳは、加入者データを取り扱い、サービス制御を行う制御ノードである。
【００１８】
端末装置２００は、基地局装置１００による制御に基づいて基地局装置１００と無線通信する。端末装置２００は、いわゆるユーザ端末（User  Equipment：ＵＥ）であってもよい。例えば、端末装置２００は、基地局装置１００にアップリンク信号を送信して、基地局装置１００からダウンリンク信号を受信する。
【００１９】
図２のように、本実施形態のシステムでは、通常の地上に存在する端末装置の他に、空中を浮遊する端末装置（以下、航空機型端末装置と呼称する。）にもセルラネットワークを提供することができる。航空機型端末装置は、ドローン、気球、飛行機、などを含む。基地局装置は、地上に向けてカバレッジを形成すると共に、上空にも電波を放出することで、空中にもカバレッジを形成することができる。
【００２０】
＜１．２．技術的課題＞
電波は放射状に放出されるため、基地局装置近傍では狭カバレッジとなる一方で、基地局装置遠方では広カバレッジとなる。空中を浮遊する航空機型端末装置は、基地局装置遠方である高高度で通信を行う場合、周囲の複数のセルからの信号を受信するため、セル間干渉によって受信品質が劣化し得る。具体的には、セルの識別に用いられる同期信号および参照信号（特にＣＲＳ）の送信に用いられるリソースがセル間で共通に使用され、強いセル間干渉を発生させることが挙げられる。このセル間干渉は、接続セル（サービングセル）からの信号の受信品質を大きく劣化させる要因となり得る。
【００２１】
更に、本実施形態では、物理セル識別子の枯渇から、周囲セルで同一の物理セル識別子が割り当てられる可能性が挙げられる。この場合、航空機型端末装置は、異なるセルからの受信信号を同一セルからの受信信号であると認識してしまい、正常にセル接続を行うことが困難になる。この現象をセル混乱（cell  confusion）とも称される。航空機型端末装置においてセル混乱が発生した場合、送受信点の誤認、セル品質の誤測定、などの問題が生じる。セル設計によって物理セル識別子の重複を回避する対策は講じることは可能である一方で、セル設計の複雑さが増大する。
【００２２】
以下で、図３を用いながら具体例を説明する。低高度を浮遊する基地局装置近傍の航空機型端末装置＃１はセル＃２のみのカバレッジ範囲内であり、セル間干渉の影響は小さい。一方で、高高度を浮遊する基地局装置遠方の航空機型端末装置＃２はセル＃２およびセル＃３のカバレッジ範囲内であり、基地局装置＃２と基地局装置＃３からの信号を強く受信する。そのため、航空機型端末装置＃２はセル間干渉の影響を多く受ける。更に、基地局装置＃２と基地局装置＃３が同一の物理セル識別子を用いた場合、航空機型端末装置＃２は、基地局装置＃２から受ける信号と基地局装置＃３から受ける信号を同一のセルであると誤認し、セル接続が不安定となる。
【００２３】
＜１．３．提案手法の概要＞
そこで、本開示では、上述した技術的課題に鑑み、周囲のセルにおけるセル識別子重複に起因するセル間干渉およびセル混乱を低減することが可能な仕組みを提案する。
【００２４】
本実施形態では、空中に対し物理セルとは異なる仮想的なセル（仮想セル、virtual  cell）を設定する。仮想セルの識別に用いられる識別子（仮想セル識別子、virtual  cell  identify、VCI）によって、端末装置は仮想セルを認識することができる。基地局装置は、ブロードキャスト情報によって、端末装置に対して、仮想セル識別子のセット（テーブル）を通知する。端末装置は、仮想セル識別子のセットと、端末装置の環境によって、その端末装置が接続すべき仮想セルが切り替わる。この仮想セルの設定によって、空中のカバレッジエリアにおけるセル間干渉およびセル混乱を低減し、通信品質および接続安定性を向上させる。
【００２５】
＜１．４．関連技術＞
以下では、提案手法に関連する技術を説明する。
【００２６】
＜１．４．１．フレーム構成＞
ＬＴＥセルのそれぞれにおいて、ある所定の時間長（例えば、サブフレーム）では、１つの所定のパラメータが用いられるすなわち、ＬＴＥセルでは、下りリンク信号及び上りリンク信号は、それぞれ所定の時間長において、１つの所定のパラメータを用いて生成される。換言すると、端末装置２００は、基地局装置１００から送信される下りリンク信号、及び、基地局装置１００に送信する上りリンク信号が、それぞれ所定の時間長において、１つの所定のパラメータで生成される、と想定する。また、基地局装置１００は、端末装置２００に送信する下りリンク信号、及び、端末装置２００から送信される上りリンク信号が、それぞれ所定の時間長において、１つの所定のパラメータで生成されるように設定できる。前記１つの所定のパラメータは、例えば、１５ｋＨｚのサブキャリア間隔である。
【００２７】
ＮＲセルのそれぞれにおいて、ある所定の時間長（例えば、スロット）では、１つ以上の所定のパラメータが用いられる。すなわち、ＮＲセルでは、下りリンク信号及び上りリンク信号は、それぞれ所定の時間長において、１つ以上の所定のパラメータを用いて生成される。換言すると、端末装置２００は、基地局装置１００から送信される下りリンク信号、及び、基地局装置１００に送信する上りリンク信号が、それぞれ所定の時間長において、１つ以上の所定のパラメータで生成される、と想定する。また、基地局装置１００は、端末装置２００に送信する下りリンク信号、及び、端末装置２００から送信される上りリンク信号が、それぞれ所定の時間長において、１つ以上の所定のパラメータで生成されるように設定できる。複数の所定のパラメータが用いられる場合、それらの所定のパラメータが用いられて生成される信号は、所定の方法により多重される。例えば、所定の方法は、ＦＤＭ（Frequency  Division  Multiplexing）、ＴＤＭ（Time  Division  Multiplexing）、ＣＤＭ（Code  Division  Multiplexing）及び／又はＳＤＭ（Spatial  Division  Multiplexing）などを含む。
【００２８】
図４は、本実施形態に係る下りリンクスロットの一例を示す図である。ＮＲにおいて、図４の例では、パラメータセット１、パラメータセット０及びパラメータセット２を用いて生成される信号が、セル（システム帯域幅）において、ＦＤＭされて送受信される。また、ＬＴＥにおいて、図４の例では、パラメータセット１、パラメータセット０、またはパラメータセット２のいずれか１つを用いて生成される信号が、セル（システム帯域幅）において、送受信される。図４に示される図は、下りリンクリソースグリッドとも呼称される。基地局装置１００は、端末装置２００への下りリンクスロットにおいて、下りリンク物理チャネル及び／又は下りリンク物理信号を送信できる。端末装置２００は、基地局装置１００からの下りリンクスロットにおいて、下りリンク物理チャネル及び／又は下りリンク物理信号を受信できる。
【００２９】
図５は、本実施形態に係る上りリンクスロットの一例を示す図である。ＮＲにおいて、図５の例では、パラメータセット１、パラメータセット０及びパラメータセット２を用いて生成される信号が、セル（システム帯域幅）において、ＦＤＭされて送受信される。また、ＬＴＥにおいて、図５の例では、パラメータセット１、パラメータセット０、または、パラメータセット２のいずれか１つを用いて生成される信号が、セル（システム帯域幅）において、送受信される。図５に示される図は、上りリンクリソースグリッドとも呼称される。基地局装置１００は、端末装置２００への上りリンクスロットにおいて、上りリンク物理チャネル及び／又は上りリンク物理信号を送信できる。端末装置２００は、基地局装置１００からの上りリンクスロットにおいて、上りリンク物理チャネル及び／又は上りリンク物理信号を受信できる。
【００３０】
本実施形態において、物理リソースは以下のように定義されうる。１つのスロットは複数のシンボルによって定義される。スロットのそれぞれにおいて送信される物理信号又は物理チャネルは、リソースグリッドによって表現される。リソースグリッドは、周波数方向に対する複数のサブキャリアと、時間方向に対する複数のシンボル（ＯＦＤＭシンボル、又は、ＳＣ−ＦＤＭＡシンボル）によって定義される。サブキャリア又はリソースブロックの数は、セルの帯域幅に依存して決まるようにしてもよい。１つのスロットにおけるシンボルの数は、ＣＰ（Cyclic  Prefix）のタイプによって決まる。ＣＰのタイプは、ノーマルＣＰ又は拡張ＣＰである。ノーマルＣＰにおいて、１つのスロットを構成するＯＦＤＭシンボル又はＳＣ−ＦＤＭＡシンボルの数は７である。拡張ＣＰにおいて、１つのスロットを構成するＯＦＤＭシンボル又はＳＣ−ＦＤＭＡシンボルの数は６である。リソースグリッド内のエレメントのそれぞれはリソースエレメントと称される。リソースエレメントは、サブキャリアのインデックス（番号）とシンボルのインデックス（番号）とを用いて識別される。なお、本実施形態の説明において、ＯＦＤＭシンボル又はＳＣ−ＦＤＭＡシンボルは単にシンボルとも呼称される。
【００３１】
リソースブロックは、ある物理チャネル（ＰＤＳＣＨ又はＰＵＳＣＨなど）をリソースエレメントにマッピングするために用いられる。リソースブロックは、仮想リソースブロックと物理リソースブロックを含む。ある物理チャネルは、仮想リソースブロックにマッピングされる。仮想リソースブロックは、物理リソースブロックにマッピングされる。１つの物理リソースブロックは、時間領域において所定数の連続するシンボルで定義される。１つの物理リソースブロックは、周波数領域において所定数の連続するサブキャリアとから定義される。１つの物理リソースブロックにおけるシンボル数及びサブキャリア数は、そのセルにおけるＣＰのタイプ、サブキャリア間隔及び／又は上位層によって設定されるパラメータなどに基づいて決まる。例えば、ＣＰのタイプがノーマルＣＰであり、サブキャリア間隔が１５ｋＨｚである場合、１つの物理リソースブロックにおけるシンボル数は７であり、サブキャリア数は１２である。その場合、１つの物理リソースブロックは（７×１２）個のリソースエレメントから構成される。物理リソースブロックは周波数領域において０から番号が付けられる。また、同一の物理リソースブロック番号が対応する、１つのサブフレーム内の２つのリソースブロックは、物理リソースブロックペア（ＰＲＢペア、ＲＢペア）として定義される。
【００３２】
＜１．４．２．物理信号と物理チャネル＞
同期信号（ＳＳ、Synchronization  Signal）は、端末装置２００が少なくとも下りリンクの周波数領域及び／又は時間領域の同期をとるために用いられる。同期信号は、ＰＳＳ（Primary  Synchronization  Signal）及びＳＳＳ（Secondary  Synchronization  Signal）を含む。ＬＴＥにおいて、同期信号は無線フレーム内の所定のサブフレームに配置される。例えば、ＴＤＤ方式において、同期信号は無線フレーム内のサブフレーム０、１、５、及び６に配置される。ＦＤＤ方式において、同期信号は無線フレーム内のサブフレーム０及び５に配置される。ＮＲにおいて、同期信号は同期信号ブロック（ＳＳ  ｂｌｏｃｋ）に含まれる。
【００３３】
ＰＳＳは、粗いフレーム／シンボルタイミング同期（時間領域の同期）やセル識別グループの識別に用いられてもよい。ＳＳＳは、より正確なフレームタイミング同期やセルの識別、ＣＰ長の検出に用いられてもよい。つまり、ＰＳＳとＳＳＳを用いることによって、フレームタイミング同期とセル識別を行うことができる。
【００３４】
ＰＢＣＨ（Physical  Broadcast  Channel）は、基地局装置１００のサービングセルに固有の報知情報であるＭＩＢ（Master  Information  Block）を報知するために用いられる。ＭＩＢはシステム情報である。例えば、ＭＩＢは、ＰＤＣＣＨの受信に必要な情報、および、無線フレームの番号（システムフレーム番号、ＳＦＮ）を示す情報を含む。ＬＴＥにおいて、ＰＢＣＨは、サブフレーム０に配置される。ＮＲにおいて、ＰＢＣＨは、同期信号ブロックに含まれる。
【００３５】
ＮＲにおける、同期信号ブロックは、ＰＳＳ、ＳＳＳ、ＰＢＣＨ、および、ＰＢＣＨのＤＭＲＳで構成される。同期信号ブロックに含まれるＰＳＳ、ＳＳＳ、ＰＢＣＨ、およびＰＢＣＨのＤＭＲＳは、２８８サブキャリアおよび４シンボルのリソース内に配置される。同期信号ブロックは、無線フレーム内の所定の４シンボルに配置される。
【００３６】
ＣＲＳ（Cell-specific  Reference  Signal）は、端末装置２００において、ＦＦＴ窓のタイミング同期（細かい同期、fine  synchronization）、周波数および時間トラッキング、下りリンクのチャネル状態情報の算出、下りリンクのＲＲＭ測定、ＰＤＣＣＨ／ＰＤＳＣＨの復調のために用いられる。ＣＲＳは、ＬＴＥにおいて、全てのサブフレームで送信される。ＣＲＳはアンテナポート０〜３を用いて送信される。ＣＲＳは、サブフレーム内の１、４、７、１０番目のシンボルを用いて送信される。所定のアンテナポートで送信されるＣＲＳは６サブキャリア間隔で配置され、更に物理セル識別子に基づいてサイクリックシフトされる。換言すると、ＣＲＳは、周波数軸上に６セル繰り返しで送信される。なお、ＣＲＳは、ＮＲセルでは送信されない。
【００３７】
ＣＳＩ−ＲＳ（Channel  State  Information  Reference  Signal）は、端末装置２００において、下りリンクのチャネル状態情報の算出、および、下りリンクのＲＲＭ測定のために用いられる。なお、ＣＳＩ−ＲＳは、周波数および時間トラッキングに用いられてもよい。ＣＳＩ−ＲＳは、設定されたサブフレームで送信される。ＣＳＩ−ＲＳが送信されるリソースは、基地局装置１００によって設定される。端末装置２００は、ＣＳＩ−ＲＳを用いて信号測定（チャネル測定）を行う。ＣＳＩ−ＲＳは、１、２、４、８、１２、１６、２４及び３２の一部又は全部のアンテナポートの設定をサポートする。なお、サポートされるアンテナポートは、端末装置２００の端末装置２００ケイパビリティ、ＲＲＣパラメータの設定、及び／又は設定される送信モードなどに基づいて決定されてもよい。
【００３８】
ＺＰ  ＣＳＩ−ＲＳ（Zero  Power  CSI-RS）のリソースは、上位層によって設定される。ＺＰ  ＣＳＩ−ＲＳのリソースはゼロ出力の電力で送信されてもよい。すなわち、ＺＰ  ＣＳＩ−ＲＳのリソースは何も送信しなくてもよい。ＺＰ  ＣＳＩ−ＲＳの設定したリソースにおいて、ＰＤＳＣＨ及びＰＤＣＣＨは送信されない。例えば、ＺＰ  ＣＳＩ−ＲＳのリソースは隣接セルがＮＺＰ  ＣＳＩ−ＲＳの送信を行うために用いられる。また、例えば、ＺＰ  ＣＳＩ−ＲＳのリソースはＣＳＩ−ＩＭを測定するために用いられる。また、例えば、ＺＰ  ＣＳＩ−ＲＳのリソースはＰＤＳＣＨなどの所定のチャネルが送信されないリソースである。換言すると、所定のチャネルは、ＺＰ  ＣＳＩ−ＲＳのリソースを除いて（レートマッチングして、パンクチャして）マッピングされる。
【００３９】
ＰＤＣＣＨ（Physical  Downlink  Control  Channel）は、下りリンク制御情報（Downlink  Control  Information:  DCI）を送信するために用いられる。下りリンク制御情報の情報ビットのマッピングが、ＤＣＩフォーマットとして定義される。下りリンク制御情報は、下りリンクグラント（downlink  grant）及び上りリンクグラント（uplink  grant）を含む。下りリンクグラントは、下りリンクアサインメント（downlink  assignment）又は下りリンク割り当て（downlink  allocation）とも称する。ＰＤＣＣＨは、連続する１つ又は複数のＣＣＥ（Control  Channel  Element）の集合によって送信される。ＬＴＥにおいて、ＣＣＥは、９つのＲＥＧ（Resource  Element  Group）で構成される。ＮＲにおいて、ＣＣＥは、６つのＲＥＧで構成される。ＬＴＥにおいて、ＲＥＧは、４つのリソースエレメントで構成される。ＮＲにおいて、ＲＥＧは、１つのリソースブロックおよび１つのＯＦＤＭシンボルで構成される。ＰＤＣＣＨがｎ個の連続するＣＣＥで構成される場合、そのＰＤＣＣＨは、ＣＣＥのインデックス（番号）であるｉをｎで割った余りが０である条件を満たすＣＣＥから始まる。
【００４０】
ＰＤＣＣＨ領域は、ＰＤＣＣＨが配置し得るリソースである。ＬＴＥセルにおいて、ＰＤＣＣＨ領域は、システム帯域の全体に設定される。ＮＲセルにおいて、ＰＤＣＣＨ領域は、所定の数シンボルおよび数リソースブロックに設定される。ＮＲセルにおいて、ＰＤＣＣＨ領域は、ＣＯＲＥＳＥＴ（Control  Resource  Set）とも呼称される。
【００４１】
ＬＴＥセルにおいて、下りリンク制御情報（Downlink  Control  Information:  DCI）を送信するために、ＥＰＤＣＣＨ（Enhanced  Physical  Downlink  Control  Channel）が用いられることができる。ＥＰＤＣＣＨは、連続する１つまたは複数のＥＣＣＥ（Enhanced  Control  Channel  Element）の集合によって送信される。ＥＣＣＥは、複数のＥＲＥＧ（Enhanced  Resource  Element  Group）で構成される。
【００４２】
ＥＰＤＣＣＨ領域は、ＥＰＤＣＣＨが配置し得るリソースである。ＬＴＥセルにおいて、ＥＰＤＣＣＨ領域は、所定の数リソースブロックに設定される。ＥＰＤＣＣＨ領域は、ＥＰＤＣＣＨセットとも呼称される。
【００４３】
ＰＤＳＣＨ（Physical  Downlink  Shared  Channel）は、下りリンクデータ（Downlink  Shared  Channel:  DL-SCH）を送信するために用いられる。また、ＰＤＳＣＨは、上位層の制御情報を送信するためにも用いられる。
【００４４】
ＰＤＳＣＨに関連するＤＭＲＳ（Demodulation  Reference  Signal）は、ＤＭＲＳが関連するＰＤＳＣＨの送信に用いられるサブフレーム及び帯域で送信される。ＤＭＲＳは、ＤＭＲＳが関連するＰＤＳＣＨの復調を行なうために用いられる。
【００４５】
ＬＴＥセルにおいて、ＥＰＤＣＣＨに関連するＤＭＲＳは、ＤＭＲＳが関連するＥＰＤＣＣＨの送信に用いられるスロット及びリソースブロックで送信される。ＤＭＲＳは、ＤＭＲＳが関連するＥＰＤＣＣＨの復調を行なうために用いられる。
【００４６】
ＮＲセルにおいて、ＰＤＣＣＨに関連するＤＭＲＳは、ＤＭＲＳが関連するＰＤＣＣＨの送信に用いられるスロット及びリソースブロックで送信される。ＤＭＲＳは、ＤＭＲＳが関連するＰＤＣＣＨの復調を行なうために用いられる。
【００４７】
ＤＲＳ（Discovery Reference Signal、Discovery Signal）は、端末装置２００において、セルの検出、および、下りリンクのＲＲＭ測定のために用いられる。なお、ＤＲＳは、下りリンクのチャネル状態情報の算出や下りリンクのトラッキングに用いられてもよい。ＤＲＳは、１つのＰＳＳ、１つのＳＳＳ、ＣＲＳで構成される。更に、ＤＲＳは、ＣＳＩ−ＲＳを含んでもよい。ＮＲにおけるＤＲＳは、ＰＢＣＨのＤＭＲＳを含んでもよい。
【００４８】
ＰＵＣＣＨ（Physical  Uplink  Control  Channel）は、上りリンク制御情報（Uplink  Control  Information:  UCI）を送信するために用いられる物理チャネルである。上りリンク制御情報は、下りリンクのチャネル状態情報（Channel  State  Information:  CSI）、ＰＵＳＣＨリソースの要求を示すスケジューリング要求（Scheduling  Request:  SR）、下りリンクデータ（Transport  block:  TB,  Downlink-Shared  Channel:  DL-SCH）に対するＨＡＲＱ−ＡＣＫを含む。ＨＡＲＱ−ＡＣＫは、ＡＣＫ／ＮＡＣＫ、ＨＡＲＱフィードバック、又は、応答情報とも称される。また、下りリンクデータに対するＨＡＲＱ−ＡＣＫは、ＡＣＫ、ＮＡＣＫ、又はＤＴＸを示す。
【００４９】
ＰＵＳＣＨ（Physical  Uplink  Shared  Channel）は、上りリンクデータ（Uplink-Shared  Channel:  UL-SCH）を送信するために用いられる物理チャネルである。また、ＰＵＳＣＨは、上りリンクデータと共にＨＡＲＱ−ＡＣＫ及び／又はチャネル状態情報を送信するために用いられてもよい。また、ＰＵＳＣＨは、チャネル状態情報のみ、又は、ＨＡＲＱ−ＡＣＫ及びチャネル状態情報のみを送信するために用いられてもよい。
【００５０】
ＰＲＡＣＨ（Physical  Random  Access  Channel）は、ランダムアクセスプリアンブルを送信するために用いられる物理チャネルである。ランダムアクセスプリアンブルは、ＰＲＡＣＨプリアンブルとも称される。ＰＲＡＣＨは、端末装置２００が基地局装置１００と時間領域の同期をとるために用いられることができる。また、ＰＲＡＣＨは、初期コネクション構築（initial  connection  establishment）手続き（処理）、ハンドオーバ手続き、コネクション再構築（connection  re-establishment）手続き、上りリンク送信に対する同期（タイミング調整）、及び／又は、ＰＵＳＣＨリソースの要求を示すためにも用いられる。
【００５１】
ＵＬ−ＤＭＲＳ（Uplink  Demodulation  Reference  Signal）は、ＰＵＳＣＨ又はＰＵＣＣＨの送信に関連する。ＵＬ−ＤＭＲＳは、ＰＵＳＣＨ又はＰＵＣＣＨと時間多重される。基地局装置１００は、ＰＵＳＣＨ又はＰＵＣＣＨの伝搬路補正を行うためにＵＬ−ＤＭＲＳを用いてもよい。本実施形態の説明において、ＰＵＳＣＨの送信は、ＰＵＳＣＨとＵＬ−ＤＭＲＳを多重して送信することも含む。本実施形態の説明において、ＰＵＣＣＨの送信は、ＰＵＣＣＨとＵＬ−ＤＭＲＳを多重して送信することも含む。
【００５２】
基地局装置１００は、上りリンクのチャネル状態を測定するためにＳＲＳ（Sounding  Reference  Signal）を用いてもよい。ＬＴＥにおいて、ＳＲＳは上りリンクサブフレームまたはスペシャルサブフレーム内の最後のシンボルまたは後方から２番目のシンボルを用いて送信される。ＮＲにおいて、ＳＲＳはスロット内の後方４シンボルを用いて送信される。
【００５３】
＜１．４．３．初期アクセス＞
初期接続（初期アクセス）とは、端末装置２００がいずれのセルにも接続していない状態（アイドル状態）から、いずれかのセルとの接続を確立した状態（接続状態）に遷移する工程である。
【００５４】
図６は、本実施形態に係る端末装置２００の初期接続プロシージャの一例を示すフローチャートである。図６に示すように、アイドル状態の端末装置２００は、セル選択手続きを行う（ステップＳ１１０）。セル選択手続には、同期信号の検出（ステップＳ１１１）とＰＢＣＨの復号（ステップＳ１１２）の工程が含まれる。端末装置２００は、同期信号の検出に基づいて、セルと下りリンクでの同期を行う。そして、下りリンクの同期確立後、端末装置２００は、ＰＢＣＨの復号を試み、第一のシステム情報を取得する。
【００５５】
次に、端末装置２００は、ＰＢＣＨに含まれる第一のシステム情報に基づき、第二のシステム情報を取得する（ステップＳ１２０）。
【００５６】
次に、端末装置２００は、第一のシステム情報及び／又は第二のシステム情報に基づき、ランダムアクセス手続き（ランダムアクセスプロシージャ、ＲＡＣＨ手続き、ＲＡＣＨプロシージャ）を行う（ステップＳ１３０）。ランダムアクセス手続きには、ランダムアクセスプリアンブルの送信（ステップＳ１３１）、ランダムアクセス応答の受信（ステップＳ１３２）、メッセージ３（Message  3）の送信（ステップＳ１３３）、そして衝突解決（Contention  resolution）の受信（ステップＳ１３４）の工程が含まれる。端末装置２００は、先ず、所定のＰＲＡＣＨプリアンブルを選択し、送信を行う。次に、端末装置２００は、送信したＰＲＡＣＨプリアンブルに対応するランダムアクセス応答を含んだＰＤＳＣＨを受信する。次に、端末装置２００は、受信したランダムアクセス応答に含まれた、ランダムアクセスレスポンスグラントによってスケジュールされたリソースを用いてメッセージ３を含むＰＵＳＣＨを送信する。最後に、端末装置２００は、そのＰＵＳＣＨに対応する衝突解決を含んだＰＤＳＣＨを受信する。
【００５７】
メッセージ３は、ＲＲＣ接続要求のＲＲＣメッセージを含む。衝突解決は、ＲＲＣ接続セットアップのＲＲＣメッセージを含む。端末装置２００は、ＲＲＣ接続セットアップのＲＲＣメッセージを受信した場合、ＲＲＣ接続動作を行い、ＲＲＣアイドル状態からＲＲＣ接続状態に遷移する。ＲＲＣ接続状態に遷移した後、端末装置２００は、ＲＲＣ接続セットアップ完了のＲＲＣメッセージを基地局装置１００に送信する。この一連の動作によって、端末装置２００は、基地局装置１００と接続することができる。
【００５８】
なお、ランダムアクセスプリアンブルはメッセージ１、ランダムアクセス応答はメッセージ２、衝突解決はメッセージ４、ＲＲＣ接続セットアップ完了のメッセージはメッセージ５とも呼称される。
【００５９】
ランダムアクセス手続きの全ての工程が完了した後は、端末装置２００は、そのセルと接続されている状態（接続状態）に遷移することができる。
【００６０】
なお、図６に示したランダムアクセス手続きは、４ステップＲＡＣＨプロシージャとも呼称される。一方で、端末装置２００がランダムアクセスプリアンブルの送信に伴ってＭｅｓｓａｇｅ  ３の送信も行い、基地局装置１００がそれらの応答としてランダムアクセス応答及びＣｏｎｔｅｎｔｉｏｎ  ｒｅｓｏｌｕｔｉｏｎの送信を行うランダムアクセス手続きは、２ステップＲＡＣＨプロシージャと呼称される。
【００６１】
ランダムアクセスプリアンブルは、ＰＲＡＣＨに関連付けて送信される。ランダムアクセス応答は、ＰＤＳＣＨで送信される。ランダムアクセス応答を含むＰＤＳＣＨは、ＰＤＣＣＨでスケジュールされる。メッセージ３は、ＰＵＳＣＨで送信される。メッセージ３を含むＰＵＳＣＨは、ランダムアクセス応答に含まれる上りリンクグラントによってスケジュールされる。
【００６２】
＜１．４．４．ＲＲＭ測定と報告＞
ＲＲＭ（Radio  Resource  Management）測定は基地局装置１００および端末装置２００で行われる。ＲＲＭ測定の情報は、セル選択、セル再選択、ハンドオーバや無線リソース制御などを決定する際に用いられる。
【００６３】
ＲＲＭ測定では、基地局装置１００と端末装置２００間の信号電力強度や通信品質が測定される。具体的には、ＲＳＲＰ（Reference  Signal  Received  Power）、ＲＳＲＱ（Reference  Signal  Received  Quality）、ＲＳＳＩ（Received  Signal  Strength  Indicator）、ＳＩＮＲ（Signal  to  Interference  plus  Noise  Ratio）などが、測定される。ＲＳＲＰは、主に、基地局装置１００からの通信品質の判断やパスロスの測定などに用いられる。ＲＳＲＱやＳＩＮＲは、主に、基地局装置１００との通信品質の判断などに用いられる。ＲＳＳＩは、主に、その無線リソースでの干渉の測定などに用いられる。
【００６４】
ＲＳＲＰは、所定の参照信号の受信電力である。所定の参照信号は、例えば、ＣＲＳ、ＳＳＳ、ＰＢＣＨに関連するＤＭＲＳ、所定のアンテナポートで送信されるＣＳＩ−ＲＳなどである。ＲＳＲＰは、例えば、１つのリソースエレメントの受信電力として定義される。
【００６５】
ＲＳＳＩは、所定の期間で測定された総受信電力の平均電力である。ＲＳＳＩは、サービングセルや非サービングセル、隣接チャネル干渉、熱雑音など、全ての受信された電力を含む。ＲＳＳＩは、１つのＯＦＤＭシンボルの受信電力として定義される。
【００６６】
ＲＳＲＱは、ＲＳＲＰとＲＳＳＩの比として定義される。具体的には、ＲＳＲＱは、ＲＳＲＰをＲＳＳＩで除算した値である。なお、ＲＳＲＱは、前述した値に、ＲＳＳＩが測定されたリソースブロック数やリソースエレメント数などを乗算した値として定義されてもよい。
【００６７】
ＳＩＮＲは、所定の基地局装置１００からの受信電力と、その所定の基地局装置１００以外からの受信電力の比として定義される。所定の同期信号のリソースを用いて測定されたＳＩＮＲは、ＳＳ−ＳＩＮＲと呼称される。所定の参照信号のリソースを用いて測定されたＳＩＮＲは、ＲＳ−ＳＩＮＲと呼称される。
【００６８】
端末装置２００で測定されたＲＲＭ測定の測定結果は、基地局装置１００に報告され得る。ＲＲＭ測定の測定結果は、所定の条件を満たした場合に、報告され得る。所定の条件は、例えば、測定結果が上位層から設定された閾値を上回った、もしくは、下回った場合、上位層から設定された閾値を下回った場合、測定対象のセル（例えば、サービングセル）の測定結果が他のセル（例えば、隣接セル）の測定結果を上回った、もしくは、下回った場合、前回の報告から所定時間が過ぎた場合、などが挙げられる。
【００６９】
＜＜２．構成例＞＞
＜２．１．本実施形態に係る基地局装置１００の構成例＞
図７は、本実施形態に係る基地局装置１００の構成を示す概略ブロック図である。図示するように、基地局装置１００は、上位層処理部１０１、制御部１０３、受信部１０５、送信部１０７、及び、送受信アンテナ１０９、を含んで構成される。また、受信部１０５は、復号化部１０５１、復調部１０５３、多重分離部１０５５、無線受信部１０５７、及びチャネル測定部１０５９を含んで構成される。また、送信部１０７は、符号化部１０７１、変調部１０７３、多重部１０７５、無線送信部１０７７、及び下りリンク参照信号生成部１０７９を含んで構成される。
【００７０】
既に説明したように、基地局装置１００は、１つ以上のＲＡＴをサポートできる。図７に示す基地局装置１００に含まれる各部の一部又は全部は、ＲＡＴに応じて個別に構成されうる。例えば、受信部１０５及び送信部１０７は、ＬＴＥとＮＲとで個別に構成される。また、ＮＲセルにおいて、図７に示す基地局装置１００に含まれる各部の一部又は全部は、送信信号に関するパラメータセットに応じて個別に構成されうる。例えば、あるＮＲセルにおいて、無線受信部１０５７及び無線送信部１０７７は、送信信号に関するパラメータセットに応じて個別に構成されうる。
【００７１】
上位層処理部１０１は、媒体アクセス制御（MAC:  Medium  Access  Control）層、パケットデータ統合プロトコル（Packet  Data  Convergence  Protocol:  PDCP）層、無線リンク制御（Radio  Link  Control:  RLC）層、無線リソース制御（Radio  Resource  Control:  RRC）層の処理を行う。また、上位層処理部１０１は、受信部１０５、及び送信部１０７の制御を行うために制御情報を生成し、制御部１０３に出力する。
【００７２】
制御部１０３は、上位層処理部１０１からの制御情報に基づいて、受信部１０５及び送信部１０７の制御を行う。制御部１０３は、上位層処理部１０１への制御情報を生成し、上位層処理部１０１に出力する。制御部１０３は、復号化部１０５１からの復号化された信号及びチャネル測定部１０５９からのチャネル推定結果を入力する。制御部１０３は、符号化する信号を符号化部１０７１へ出力する。また、制御部１０３は、基地局装置１００の全体又は一部を制御するために用いられる。
【００７３】
上位層処理部１０１は、ＲＡＴ制御、無線リソース制御、サブフレーム設定、スケジューリング制御、及び／又は、ＣＳＩ報告制御に関する処理及び管理を行う。上位層処理部１０１における処理及び管理は、端末装置２００毎、又は基地局装置１００に接続している端末装置２００共通に行われる。上位層処理部１０１における処理及び管理は、上位層処理部１０１のみで行われてもよいし、上位ノード又は他の基地局装置１００から取得してもよい。また、上位層処理部１０１における処理及び管理は、ＲＡＴに応じて個別に行われてもよい。例えば、上位層処理部１０１は、ＬＴＥにおける処理及び管理と、ＮＲにおける処理及び管理とを個別に行う。
【００７４】
上位層処理部１０１におけるＲＡＴ制御では、ＲＡＴに関する管理が行われる。例えば、ＲＡＴ制御では、ＬＴＥに関する管理及び／又はＮＲに関する管理が行われる。ＮＲに関する管理は、ＮＲセルにおける送信信号に関するパラメータセットの設定及び処理を含む。
【００７５】
上位層処理部１０１における無線リソース制御では、下りリンクデータ（トランスポートブロック）、システムインフォメーション、ＲＲＣメッセージ（ＲＲＣパラメータ）、及び／又は、ＭＡＣ制御エレメント（ＣＥ：Control  Element）の生成及び／又は管理が行われる。
【００７６】
上位層処理部１０１におけるサブフレーム設定では、サブフレーム設定、サブフレームパターン設定、上りリンク−下りリンク設定、上りリンク参照ＵＬ−ＤＬ設定、及び／又は、下りリンク参照ＵＬ−ＤＬ設定の管理が行われる。なお、上位層処理部１０１におけるサブフレーム設定は、基地局サブフレーム設定とも呼称される。また、上位層処理部１０１におけるサブフレーム設定は、上りリンクのトラフィック量及び下りリンクのトラフィック量に基づいて決定できる。また、上位層処理部１０１におけるサブフレーム設定は、上位層処理部１０１におけるスケジューリング制御のスケジューリング結果に基づいて決定できる。
【００７７】
上位層処理部１０１におけるスケジューリング制御では、受信したチャネル状態情報及びチャネル測定部１０５９から入力された伝搬路の推定値やチャネルの品質などに基づいて、物理チャネルを割り当てる周波数及びサブフレーム、物理チャネルの符号化率及び変調方式及び送信電力などが決定される。例えば、制御部１０３は、上位層処理部１０１におけるスケジューリング制御のスケジューリング結果に基づいて、制御情報（ＤＣＩフォーマット）を生成する。
【００７８】
上位層処理部１０１におけるＣＳＩ報告制御では、端末装置２００のＣＳＩ報告が制御される。例えば、端末装置２００においてＣＳＩを算出するために想定するためのＣＳＩ参照リソースに関する設定が制御される。
【００７９】
受信部１０５は、制御部１０３からの制御に従って、送受信アンテナ１０９を介して端末装置２００から送信された信号を受信し、さらに分離、復調、復号などの受信処理を行い、受信処理された情報を制御部１０３に出力する。なお、受信部１０５における受信処理は、あらかじめ規定された設定、又は基地局装置１００が端末装置２００に通知した設定に基づいて行われる。
【００８０】
無線受信部１０５７は、送受信アンテナ１０９を介して受信された上りリンクの信号に対して、中間周波数への変換（ダウンコンバート）、不要な周波数成分の除去、信号レベルが適切に維持されるように増幅レベルの制御、受信された信号の同相成分及び直交成分に基づく直交復調、アナログ信号からディジタル信号への変換、ガードインターバル（Guard  Interval:  GI）の除去、及び／又は、高速フーリエ変換（Fast  Fourier  Transform:  FFT）による周波数領域信号の抽出を行う。
【００８１】
多重分離部１０５５は、無線受信部１０５７から入力された信号から、ＰＵＣＣＨ又はＰＵＳＣＨなどの上りリンクチャネル及び／又は上りリンク参照信号を分離する。多重分離部１０５５は、上りリンク参照信号をチャネル測定部１０５９に出力する。多重分離部１０５５は、チャネル測定部１０５９から入力された伝搬路の推定値から、上りリンクチャネルに対する伝搬路の補償を行う。
【００８２】
復調部１０５３は、上りリンクチャネルの変調シンボルに対して、ＢＰＳＫ（Binary  Phase  Shift  Keying）、ＱＰＳＫ（Quadrature  Phase  shift  Keying）、１６ＱＡＭ（Quadrature  Amplitude  Modulation）、６４ＱＡＭ、２５６ＱＡＭ等の変調方式を用いて受信信号の復調を行う。復調部１０５３は、ＭＩＭＯ多重された上りリンクチャネルの分離及び復調を行う。
【００８３】
復号化部１０５１は、復調された上りリンクチャネルの符号化ビットに対して、復号処理を行う。復号された上りリンクデータ及び／又は上りリンク制御情報は制御部１０３へ出力される。復号化部１０５１は、ＰＵＳＣＨに対しては、トランスポートブロック毎に復号処理を行う。
【００８４】
チャネル測定部１０５９は、多重分離部１０５５から入力された上りリンク参照信号から伝搬路の推定値及び／又はチャネルの品質などを測定し、多重分離部１０５５及び／又は制御部１０３に出力する。例えば、チャネル測定部１０５９は、ＵＬ−ＤＭＲＳを用いてＰＵＣＣＨ又はＰＵＳＣＨに対する伝搬路補償を行うための伝搬路の推定値を測定し、ＳＲＳを用いて上りリンクにおけるチャネルの品質を測定する。
【００８５】
送信部１０７は、制御部１０３からの制御に従って、上位層処理部１０１から入力された下りリンク制御情報及び下りリンクデータに対して、符号化、変調及び多重などの送信処理を行う。例えば、送信部１０７は、ＰＨＩＣＨ、ＰＤＣＣＨ、ＥＰＤＣＣＨ、ＰＤＳＣＨ、及び下りリンク参照信号を生成及び多重し、送信信号を生成する。なお、送信部１０７における送信処理は、あらかじめ規定された設定、基地局装置１００が端末装置２００に通知した設定、又は、同一のサブフレームで送信されるＰＤＣＣＨ又はＥＰＤＣＣＨを通じて通知される設定に基づいて行われる。
【００８６】
符号化部１０７１は、制御部１０３から入力されたＨＡＲＱインディケータ（ＨＡＲＱ−ＡＣＫ）、下りリンク制御情報、及び下りリンクデータを、ブロック符号化、畳込み符号化、ターボ符号化等の所定の符号化方式を用いて符号化を行う。変調部１０７３は、符号化部１０７１から入力された符号化ビットをＢＰＳＫ、ＱＰＳＫ、１６ＱＡＭ、６４ＱＡＭ、２５６ＱＡＭ等の所定の変調方式で変調する。下りリンク参照信号生成部１０７９は、物理セル識別子（ＰＣＩ：Physical  cell  identification）、端末装置２００に設定されたＲＲＣパラメータなどに基づいて、下りリンク参照信号を生成する。多重部１０７５は、各チャネルの変調シンボルと下りリンク参照信号を多重し、所定のリソースエレメントに配置する。
【００８７】
無線送信部１０７７は、多重部１０７５からの信号に対して、逆高速フーリエ変換（Inverse  Fast  Fourier  Transform:  IFFT）による時間領域の信号への変換、ガードインターバルの付加、ベースバンドのディジタル信号の生成、アナログ信号への変換、直交変調、中間周波数の信号から高周波数の信号への変換（アップコンバート:  up  convert）、余分な周波数成分の除去、電力の増幅などの処理を行い、送信信号を生成する。無線送信部１０７７が出力した送信信号は、送受信アンテナ１０９から送信される。
【００８８】
＜２．２．本実施形態に係る端末装置２００の構成例＞
図８は、本実施形態に係る端末装置２００の構成を示す概略ブロック図である。図示するように、端末装置２００は、上位層処理部２０１、制御部２０３、受信部２０５、送信部２０７、及び送受信アンテナ２０９を含んで構成される。また、受信部２０５は、復号化部２０５１、復調部２０５３、多重分離部２０５５、無線受信部２０５７、及びチャネル測定部２０５９を含んで構成される。また、送信部２０７は、符号化部２０７１、変調部２０７３、多重部２０７５、無線送信部２０７７、及び上りリンク参照信号生成部２０７９を含んで構成される。
【００８９】
既に説明したように、端末装置２００は、１つ以上のＲＡＴをサポートできる。図８に示す端末装置２００に含まれる各部の一部又は全部は、ＲＡＴに応じて個別に構成されうる。例えば、受信部２０５及び送信部２０７は、ＬＴＥとＮＲとで個別に構成される。また、ＮＲセルにおいて、図８に示す端末装置２００に含まれる各部の一部又は全部は、送信信号に関するパラメータセットに応じて個別に構成されうる。例えば、あるＮＲセルにおいて、無線受信部２０５７及び無線送信部２０７７は、送信信号に関するパラメータセットに応じて個別に構成されうる。
【００９０】
上位層処理部２０１は、上りリンクデータ（トランスポートブロック）を、制御部２０３に出力する。上位層処理部２０１は、媒体アクセス制御（MAC:  Medium  Access  Control）層、パケットデータ統合プロトコル（Packet  Data  Convergence  Protocol:  PDCP）層、無線リンク制御（Radio  Link  Control:  RLC）層、無線リソース制御（Radio  Resource  Control:  RRC）層の処理を行なう。また、上位層処理部２０１は、受信部２０５、及び送信部２０７の制御を行うために制御情報を生成し、制御部２０３に出力する。
【００９１】
制御部２０３は、上位層処理部２０１からの制御情報に基づいて、受信部２０５及び送信部２０７の制御を行う。制御部２０３は、上位層処理部２０１への制御情報を生成し、上位層処理部２０１に出力する。制御部２０３は、復号化部２０５１からの復号化された信号及びチャネル測定部２０５９からのチャネル推定結果を入力する。制御部２０３は、符号化する信号を符号化部２０７１へ出力する。また、制御部２０３は、端末装置２００の全体又は一部を制御するために用いられてもよい。
【００９２】
上位層処理部２０１は、ＲＡＴ制御、無線リソース制御、サブフレーム設定、スケジューリング制御、及び／又は、ＣＳＩ報告制御に関する処理及び管理を行う。上位層処理部２０１における処理及び管理は、あらかじめ規定される設定、及び／又は、基地局装置１００から設定又は通知される制御情報に基づく設定に基づいて行われる。例えば、基地局装置１００からの制御情報は、ＲＲＣパラメータ、ＭＡＣ制御エレメント又はＤＣＩを含む。また、上位層処理部２０１における処理及び管理は、ＲＡＴに応じて個別に行われてもよい。例えば、上位層処理部２０１は、ＬＴＥにおける処理及び管理と、ＮＲにおける処理及び管理とを個別に行う。
【００９３】
上位層処理部２０１におけるＲＡＴ制御では、ＲＡＴに関する管理が行われる。例えば、ＲＡＴ制御では、ＬＴＥに関する管理及び／又はＮＲに関する管理が行われる。ＮＲに関する管理は、ＮＲセルにおける送信信号に関するパラメータセットの設定及び処理を含む。
【００９４】
上位層処理部２０１における無線リソース制御では、自装置における設定情報の管理が行われる。上位層処理部２０１における無線リソース制御では、上りリンクデータ（トランスポートブロック）、システムインフォメーション、ＲＲＣメッセージ（ＲＲＣパラメータ）、及び／又は、ＭＡＣ制御エレメント（ＣＥ：Control  Element）の生成及び／又は管理が行われる。
【００９５】
上位層処理部２０１におけるサブフレーム設定では、基地局装置１００及び／又は基地局装置１００とは異なる基地局装置１００におけるサブフレーム設定が管理される。サブフレーム設定は、サブフレームに対する上りリンク又は下りリンクの設定、サブフレームパターン設定、上りリンク−下りリンク設定、上りリンク参照ＵＬ−ＤＬ設定、及び／又は、下りリンク参照ＵＬ−ＤＬ設定を含む。なお、上位層処理部２０１におけるサブフレーム設定は、端末サブフレーム設定とも呼称される。
【００９６】
上位層処理部２０１におけるスケジューリング制御では、基地局装置１００からのＤＣＩ（スケジューリング情報）に基づいて、受信部２０５及び送信部２０７に対するスケジューリングに関する制御を行うための制御情報が生成される。
【００９７】
上位層処理部２０１におけるＣＳＩ報告制御では、基地局装置１００に対するＣＳＩの報告に関する制御が行われる。例えば、ＣＳＩ報告制御では、チャネル測定部２０５９でＣＳＩを算出するために想定するためのＣＳＩ参照リソースに関する設定が制御される。ＣＳＩ報告制御では、ＤＣＩ及び／又はＲＲＣパラメータに基づいて、ＣＳＩを報告するために用いられるリソース（タイミング）を制御する。
【００９８】
受信部２０５は、制御部２０３からの制御に従って、送受信アンテナ２０９を介して基地局装置１００から送信された信号を受信し、さらに分離、復調、復号などの受信処理を行い、受信処理された情報を制御部２０３に出力する。なお、受信部２０５における受信処理は、あらかじめ規定された設定、又は基地局装置１００からの通知又は設定に基づいて行われる。
【００９９】
無線受信部２０５７は、送受信アンテナ２０９を介して受信された上りリンクの信号に対して、中間周波数への変換（ダウンコンバート）、不要な周波数成分の除去、信号レベルが適切に維持されるように増幅レベルの制御、受信された信号の同相成分及び直交成分に基づく直交復調、アナログ信号からディジタル信号への変換、ガードインターバル（Guard  Interval:  GI）の除去、及び／又は、高速フーリエ変換（Fast  Fourier  Transform:  FFT）による周波数領域の信号の抽出を行う。
【０１００】
多重分離部２０５５は、無線受信部２０５７から入力された信号から、ＰＨＩＣＨ、ＰＤＣＣＨ、ＥＰＤＣＣＨ又はＰＤＳＣＨなどの下りリンクチャネル、下りリンク同期信号及び／又は下りリンク参照信号を分離する。多重分離部２０５５は、下りリンク参照信号をチャネル測定部２０５９に出力する。多重分離部２０５５は、チャネル測定部２０５９から入力された伝搬路の推定値から、下りリンクチャネルに対する伝搬路の補償を行う。
【０１０１】
復調部２０５３は、下りリンクチャネルの変調シンボルに対して、ＢＰＳＫ、ＱＰＳＫ、１６ＱＡＭ、６４ＱＡＭ、２５６ＱＡＭ等の変調方式を用いて受信信号の復調を行う。復調部２０５３は、ＭＩＭＯ多重された下りリンクチャネルの分離及び復調を行う。
【０１０２】
復号化部２０５１は、復調された下りリンクチャネルの符号化ビットに対して、復号処理を行う。復号された下りリンクデータ及び／又は下りリンク制御情報は制御部２０３へ出力される。復号化部２０５１は、ＰＤＳＣＨに対しては、トランスポートブロック毎に復号処理を行う。
【０１０３】
チャネル測定部２０５９は、多重分離部２０５５から入力された下りリンク参照信号から伝搬路の推定値及び／又はチャネルの品質などを測定し、多重分離部２０５５及び／又は制御部２０３に出力する。チャネル測定部２０５９が測定に用いる下りリンク参照信号は、少なくともＲＲＣパラメータによって設定される送信モード及び／又は他のＲＲＣパラメータに基づいて決定されてもよい。例えば、ＤＬ−ＤＭＲＳはＰＤＳＣＨ又はＥＰＤＣＣＨに対する伝搬路補償を行うための伝搬路の推定値を測定する。ＣＲＳはＰＤＣＣＨ又はＰＤＳＣＨに対する伝搬路補償を行うための伝搬路の推定値、及び／又は、ＣＳＩを報告するための下りリンクにおけるチャネルを測定する。ＣＳＩ−ＲＳは、ＣＳＩを報告するための下りリンクにおけるチャネルを測定する。チャネル測定部２０５９は、ＣＲＳ、ＣＳＩ−ＲＳ又は検出信号に基づいて、ＲＳＲＰ（Reference  Signal  Received  Power）及び／又はＲＳＲＱ（Reference  Signal  Received  Quality）を算出し、上位層処理部２０１へ出力する。
【０１０４】
送信部２０７は、制御部２０３からの制御に従って、上位層処理部２０１から入力された上りリンク制御情報及び上りリンクデータに対して、符号化、変調及び多重などの送信処理を行う。例えば、送信部２０７は、ＰＵＳＣＨ又はＰＵＣＣＨなどの上りリンクチャネル及び／又は上りリンク参照信号を生成及び多重し、送信信号を生成する。なお、送信部２０７における送信処理は、あらかじめ規定された設定、又は、基地局装置１００から設定又は通知に基づいて行われる。
【０１０５】
符号化部２０７１は、制御部２０３から入力されたＨＡＲＱインディケータ（ＨＡＲＱ−ＡＣＫ）、上りリンク制御情報、及び上りリンクデータを、ブロック符号化、畳込み符号化、ターボ符号化等の所定の符号化方式を用いて符号化を行う。変調部２０７３は、符号化部２０７１から入力された符号化ビットをＢＰＳＫ、ＱＰＳＫ、１６ＱＡＭ、６４ＱＡＭ、２５６ＱＡＭ等の所定の変調方式で変調する。上りリンク参照信号生成部２０７９は、端末装置２００に設定されたＲＲＣパラメータなどに基づいて、上りリンク参照信号を生成する。多重部２０７５は、各チャネルの変調シンボルと上りリンク参照信号を多重し、所定のリソースエレメントに配置する。
【０１０６】
無線送信部２０７７は、多重部２０７５からの信号に対して、逆高速フーリエ変換（Inverse  Fast  Fourier  Transform:  IFFT）による時間領域の信号への変換、ガードインターバルの付加、ベースバンドのディジタル信号の生成、アナログ信号への変換、直交変調、中間周波数の信号から高周波数の信号への変換（アップコンバート:  up  convert）、余分な周波数成分の除去、電力の増幅などの処理を行い、送信信号を生成する。無線送信部２０７７が出力した送信信号は、送受信アンテナ２０９から送信される。
【０１０７】
＜＜３．ドローン＞＞
＜３．１．ユースケース＞
ドローンのユースケースは多様に考えられる。以下、代表的なユースケースの一例を説明する。
【０１０８】
・エンタテイメント（Entertainment）
例えば、ドローンにカメラを装着して、バードビューの写真又は動画などを撮影するユースケースが考えられる。近年では、スポーツの様子などをダイナミックに撮影するなど、これまで地上からは撮影が困難であった視点からの撮影を容易に行うことが可能となる。
【０１０９】
・運輸（Transportation、package  delivery）
例えば、ドローンに荷物を運ばせるユースケースが考えられる。すでに、サービス導入を始めようとする動きもある。
【０１１０】
・治安（Public  safety）
例えば、監視又は犯人追跡などのユースケースが考えられる。すでに、サービス導入を始めようとする動きもある。
【０１１１】
・探索および救助（search-and-rescue）
例えば、ドローンによって人が侵入することが困難な場所を探索し、救助支援を行うなどのユースケースが考えられる。
【０１１２】
・情報（Informative）
例えば、ドローンを用いて情報提供するユースケースが考えられる。すでに、基地局として動作するドローンであるドローン基地局に関する研究開発が行われている。ドローン基地局によれば、上空から無線サービスを提供することで、インターネット回線を敷設することが困難なエリアに無線サービスを提供することが可能となる。
【０１１３】
・センシング（Sensing）
例えば、ドローンを用いた測量のユースケースが考えられる。これまで人が行ってきた測量を、ドローンにより一括して行うことも可能となるので、効率的な測量が可能になる。
【０１１４】
・労働（Worker）
例えば、ドローンを労働力として用いるユースケースが考えられる。例えば、農業に関して、農薬散布又は授粉用のドローンなど、さまざまな領域で活用が見込まれている。
【０１１５】
・メンテナンス（Maintenance）
例えば、ドローンを用いてメンテナンスを行うユースケースが考えられる。ドローンを用いることで、橋の裏などの、人では確認が難しい場所のメンテナンスが可能になる。
【０１１６】
＜３．２．ドローン通信＞
上述したように、ドローンは、様々なユースケースでの活用が検討されている。これらのユースケースを実現するためには、ドローンには様々な技術的要求が課される。その中でも特に重要な要求として、通信が挙げられる。ドローンは３次元空間を自由に飛び回るため、有線通信の利用は現実的ではなく、無線通信の利用が想定される。なお、無線通信の用途としては、ドローンの制御（即ち、遠隔操作）、及びドローンからの情報提供等が考えられる。
【０１１７】
ドローンによる通信は、Ｄ２Ｘ（Drone  to  X）とも称される場合がある。Ｄ２Ｘ通信におけるドローンの通信相手は、例えば他のドローン、セルラー基地局、Ｗｉ−Ｆｉ（登録商標）アクセスポイント、ＴＶ（television）塔、衛星、ＲＳＵ（Road  side  Unit）、及び人（又は人が持つデバイス）等が考えられる。ドローンは、人が持つデバイスとのＤ２Ｄ（Device  to  device）通信を介して遠隔操作され得る。また、ドローンは、セルラーシステム又はＷｉ−Ｆｉに接続して通信することも可能である。ドローンは、よりカバレッジを広くするために、ＴＶなどのブロードキャストシステムを用いるネットワーク又は衛星通信を用いるネットワークに接続して通信してもよい。このように、ドローンには、様々な通信リンクが形成されることが考えられる。
【０１１８】
＜３．３．飛行関連情報＞
以下、ドローンの飛行に関する情報である飛行関連情報について具体的に説明する。
【０１１９】
飛行関連情報は、ドローンが飛行するに際して測定、検知、検出、推定又は認識される情報を含む。例えば、飛行関連情報は、ドローンの飛行に関する高度情報、飛行に関するバッテリ情報、飛行に関する位置情報、及び／又は飛行に関する状態情報等を含み得る。飛行関連情報は、複数の飛行関連情報を組み合わせた情報を含んでいてもよい。
【０１２０】
飛行に関する高度情報は、ドローンが現在飛行している高度の情報、ドローンが飛行可能な高度（即ち、最高高度、及び最低高度）の情報などを含み得る。例えば、基地局装置１００は、ドローンの高度情報に応じてビームを形成すべきか否かを判定し得る。
【０１２１】
飛行に関するバッテリ情報は、ドローンの現在のバッテリ残量の情報、ドローンの飛行可能時間の情報、バッテリ容量の情報、及びドローンの消費電力の情報などを含み得る。また、ドローンのバッテリ情報は、容量及び電力量などの絶対的な値、バッテリ容量に対する残量などの相対的な値、及びパーセンテージ又は所定の演算により求められたレベルなどに基づく情報を含み得る。例えば、ドローンは、バッテリ残量が少ない場合にバッテリの節約のため測定情報の報告頻度を下げたり、逆にバッテリ残量が少ない場合に危険防止のため測定情報の報告頻度を上げたりし得る。
【０１２２】
飛行に関する位置情報は、緯度及び経度の情報、所定の基地局装置１００又は所定の基準点などの地点からの相対的な位置を示す情報、及び所定のエリア内か否かを示す情報などを含み得る。例えば、ドローンは、飛行禁止区域の近くを飛行する場合に測定情報の報告頻度を上げ得る。
【０１２３】
飛行に関する状態情報（以下、飛行状態情報とも称する）は、ドローンが飛行中であるか停止中であるかを示す情報、ドローンが手動操縦による飛行か自動操縦による飛行（自律的な飛行）かを示す情報、ドローンのプロペラが回転しているか否かを示す情報、ドローンが地面などに接地しているか否かを示す情報などを含み得る。例えば、ドローンは、例えば飛行中に測定情報の報告頻度を上げ、停止中は測定情報の報告頻度を下げ得る。
【０１２４】
更に、飛行に関する飛行関連情報は、ドローンがこれから飛行しようとしている設定方向（方位）、設定速度および／または設定高度の情報などを含み得る。これらの情報は、フライトパス（Flight  Path）とも呼称される。フライトパスは、無線リソース管理（Radio  Resource  Control）を制御する基地局装置１００に提供されてもよい。基地局装置１００は、そのフライトパスに基づいて、ドローンに対する無線リソース管理を行う。フライトパスの提供方法として、ドローン自体から提供される方法、ローカルネットワークに接続されている操縦者（又は、操縦装置）から提供される方法、セルラネットワークを通じて航空交通管制局（又は、航空交通管制装置）などから提供される方法、または、前述された方法の組み合わせ、が挙げられる。
【０１２５】
また、飛行関連情報は、高度情報等の各々の情報に対する、ドローン又は環境に依存する精度又は確からしさの情報を含み得る。例えば、ドローンに依存する精度又は確からしさの情報は、ドローンが具備するセンサの精度に基づく情報を含む。環境に依存する精度又は確からしさの情報は、天候、気温、風速又は気圧に基づく情報を含む。
【０１２６】
＜＜４．技術的特徴＞＞
以下、本実施形態の技術的特徴について詳しく説明する。
【０１２７】
＜４．１．仮想セル＞
本実施形態では、物理セルの上に、仮想セルを提供することができる。
【０１２８】
仮想セルは、無線リソースの設定の単位や、送受信点の基準とみなすことができる。端末装置は、仮想セルごとに異なるＲＲＣ（Radio  Resource  Control）設定を受信することができる。例えば、仮想セルごとに独立なＰＤＣＣＨ設定、ＥＰＤＣＣＨ設定、ＲＡＣＨ設定、ＰＵＣＣＨ設定を端末装置に設定することができる。端末装置は、異なる仮想セルから送信される信号は異なる送受信点から送信されていると想定する。
【０１２９】
本実施形態の仮想セルは、３次元状に構成される。例えば、同一位置であっても、異なる高度では異なる仮想セルが設定され得る。
【０１３０】
仮想セルのデプロイメントの一例として、複数の物理セルが重畳されている領域ごとに設定される。図９を用いて具体例を説明する。低高度の空間には、基地局装置＃１〜＃３から仮想セル＃１〜＃３が提供される。更に、高高度の空間には、仮想セル＃４〜＃７が提供される。仮想セル＃５は、基地局装置＃１と基地局装置＃２のカバレッジが重畳されるエリアに提供される。仮想セル＃６は、基地局装置＃２と基地局装置＃３のカバレッジが重畳されるエリアに提供される。
【０１３１】
空中に仮想セルが設定され、仮想セルごとにリソース制御を行うことで、適切なセル接続処理やセル間干渉制御を行うことが可能になる。
【０１３２】
なお、仮想セルは、重畳して設定することも可能である。例えば、低移動速度の端末装置に対する仮想セルと、高移動速度の端末装置に対する仮想セルと、が重畳されて提供される。
【０１３３】
仮想セルには、仮想セルを識別する識別子（仮想セル識別子、Virtual  Cell  ID）が設定され得る。端末装置は、物理セル識別子に加えて、仮想セル識別子を用いて仮想セルとの送受信を行う。
【０１３４】
仮想セルにおいて、ＰＤＳＣＨは、仮想セル識別子を用いてスクランブルされる。端末装置は、仮想セル識別子を用いて、ＰＤＳＣＨをデスクランブルする。
【０１３５】
仮想セルにおいて、ＰＤＣＣＨは、仮想セル識別子を用いて時間／周波数上にインターリーブされる。端末装置は、仮想セル識別子を用いてＰＤＣＣＨをデインターリーブする。
【０１３６】
仮想セルにおいて、ＰＤＣＣＨは、仮想セル識別子に基づいて送信リソースが決定される。端末装置は、仮想セル識別子に基づいてＰＤＣＣＨのモニタを行う。
【０１３７】
仮想セルにおいて、ＰＢＣＨは、仮想セル識別子を用いてスクランブルされる。端末装置は、仮想セル識別子を用いて、ＰＢＣＨをデスクランブルする。
【０１３８】
仮想セルにおいて、下りリンク参照信号（ＣＳＩ−ＲＳ、ＤＭＲＳ、トラッキングＲＳ）のシーケンスは、仮想セル識別子に基づいて生成される。端末装置は、仮想セル識別子を用いて下りリンク参照信号のシーケンスを認識する。
【０１３９】
なお、ＳＩ（System  Information）窓の周期および／または時間オフセットは、仮想セルごとに異なってもよい。ＳＩ窓の周期および／または時間オフセットは、仮想セル識別子によって決定されてもよい。ＳＩ窓の周期および／または時間オフセットは、ＭＩＢまたは事前に取得されるＳＩＢ（Stored  SIB）によって端末装置に通知される。一方で、端末装置は、基地局装置から、ＳＩ窓の周期および／または時間オフセットを取得できなかった場合、初期値のＳＩ窓の周期および／または時間オフセットを適用し、ＳＩＢの取得を試みる。
【０１４０】
仮想セルでは、仮想セル識別子に紐付く同期信号および／または参照信号によってＲＲＭ（Radio  Resource  Management）測定が行われる。例えば、端末装置は、仮想セル識別子に紐付くＳＳＳを用いて、ＲＳＲＰ、ＲＳＲＱ、および／または、ＳＳ−ＳＩＮＲを測定する。例えば、端末装置は、仮想セル識別子に紐付くＣＳＩ−ＲＳを用いて、ＲＳＲＰ、ＲＳＲＱ、および／または、ＲＳ−ＳＩＮＲを測定する。
【０１４１】
仮想セルでは、仮想セル識別子に紐付く同期信号および／または参照信号によってＲＬＭ（Radio  Link  Monitoring）測定が行われる。例えば、仮想セルに接続する端末装置は、仮想セル識別子に紐付くＳＳＳを用いて、サービングセルの通信品質を測定する。例えば、仮想セルに接続する端末装置は、仮想セル識別子に紐付くＣＳＩ−ＲＳを用いてサービングセルの通信品質を測定する。
【０１４２】
仮想セルで送信される物理チャネルおよびＤＭＲＳは、その仮想セル識別子に紐付く参照信号とＱＣＬ（quasi-co-located）であることが望ましい。ＱＣＬは、チャネルおよびビームの特徴の観点からの送信ポイントを示す指標である。ＱＣＬであった場合、端末装置は、関係する２つの物理信号／物理チャネルは同一の送信ポイントから送信されていると想定する。
【０１４３】
仮想セルは、端末装置に複数設定されてもよい。即ち、端末装置は、複数の仮想セルと接続されてもよい。端末装置は、複数の仮想セル識別子を用いて送受信を同時に行ってもよい。
【０１４４】
仮想セルの配置は、コアネットワークで制御される。仮想セルの配置および仮想セル識別子の割り当ては、ＭＭＥで決定されることが望ましい。
【０１４５】
仮想セルのＲＲＭ測定に用いられるＣＳＩ−ＲＳの設定は、システム情報に含まれることが望ましい。ＲＲＭ測定に用いられるＣＳＩ−ＲＳの設定は、ＣＳＩ−ＲＳのアンテナポート、ＣＳＩ−ＲＳが送信されるリソース（リソースエレメントおよび送信周期）、ＣＳＩ−ＲＳのスクランブルシーケンス、ＣＤＭのタイプ、および／または、物理セルとのＱＣＬパラメータ、が設定される。また、ＲＲＭ測定に用いられるＣＳＩ−ＲＳの設定と、仮想セル識別子が対応付けられる。端末装置は、仮想セル識別子を決定したのち、その仮想セル識別子に対応するＣＳＩ−ＲＳの設定を適用する。
【０１４６】
仮想セルでは、ＥＰＤＣＣＨによってＰＤＳＣＨおよびＰＵＳＣＨがスケジュールされることが望ましい。そのＥＰＤＣＣＨのＤＭＲＳは、仮想セル識別子と関連付けられる。そのＥＰＤＣＣＨのＤＭＲＳは、その仮想セル識別子と紐付くＣＳＩ−ＲＳとＱＣＬである。
【０１４７】
仮想セルに接続することが可能な端末装置は、ＲＲＣアイドル状態でＣＳＩ−ＲＳを用いたＲＲＭ測定を行うことができる。具体的には、仮想セルに接続することが可能な端末装置は、ＲＲＣアイドル状態で、ＣＳＩ−ＲＳＲＰおよび／またはＣＳＩ−ＲＳＲＱを測定することができる。
【０１４８】
仮想セルに接続することが可能な端末装置は、ＣＳＩ−ＲＳの受信品質に基づいて、セル接続およびセル再接続の判断を行うことができる。具体的には、セル接続指標（Cell  Selection  Criterion）に対して、ＣＳＩ−ＲＳＲＰ、ＣＳＩ−ＲＳＲＱ、または、ＣＳＩ−ＳＩＮＲの値が適用される。
【０１４９】
なお、ＣＳＩ−ＲＳを用いたＲＳ−ＳＩＮＲの干渉は、ＺＰ  ＣＳＩ−ＲＳのリソースエレメントを用いて計算されてもよいし、ＮＺＰ  ＣＳＩ−ＲＳのリソースエレメントを用いて計算されてもよい。
【０１５０】
端末装置は、所定の条件に応じて、物理セル識別子を用いてセル接続を行うプロシジャと、仮想セル識別子を用いてセル接続を行うプロシジャを、切り替えることができる。具体例として、地上に提供されるセルは物理セル識別子に基づいて設計され、空中に提供されるセルは仮想セル識別子に基づいて設計されるケースが挙げられる。別の具体例として、地上ネットワーク（Terrestrial  Network）から提供されるセルは物理セル識別子に基づいて設計され、衛星局など非地上ネットワーク（Non-Terrestrial  Network）から提供されるセルは仮想セル識別子に基づいて設計される。
【０１５１】
一例として、端末装置は、仮想セルに関する情報を取得するか否かに応じて、物理セル識別子を用いてセル接続を行うプロシジャと仮想セル識別子を用いてセル接続を行うプロシジャを、切り替えることができる。例えば、仮想セルに関する情報を取得した場合、仮想セル識別子を用いてセル接続を行うプロシジャが適用され、そうでなかった場合、物理セル識別子を用いてセル接続を行うプロシジャが適用される。または、仮想セルへの接続を指示する情報を取得した場合、仮想セル識別子を用いてセル接続を行うプロシジャが適用され、そうでなかった場合、物理セル識別子を用いてセル接続を行うプロシジャが適用される。
【０１５２】
一例として、端末装置は、当該端末装置の高度に応じて、物理セル識別子を用いてセル接続を行うプロシジャと仮想セル識別子を用いてセル接続を行うプロシジャを、切り替えることができる。例えば、端末装置の高度が所定の高度（基地局装置の高度など）よりも低い場合、物理セル識別子を用いてセル接続を行うプロシジャが適用され、端末装置の高度が所定の高度（基地局装置の高度など）よりも高い場合、仮想セル識別子を用いてセル接続を行うプロシジャが適用される。例えば、離陸した場合、仮想セル識別子を用いてセル接続を行うプロシジャが適用され、そうでなかった場合、物理セル識別子を用いてセル接続を行うプロシジャが適用される。なお、所定の高度は、基地局装置から通知されてもよい。
【０１５３】
一例として、端末装置は、当該端末装置の速度に応じて、物理セル識別子を用いてセル接続を行うプロシジャと仮想セル識別子を用いてセル接続を行うプロシジャを、切り替えることができる。例えば、端末装置の速度が所定の速度よりも遅い場合、物理セル識別子を用いてセル接続を行うプロシジャが適用され、端末装置の速度が所定の速度よりも早い場合、仮想セル識別子を用いてセル接続を行うプロシジャが適用される。速度に関する状態は、モビリティステータスによって管理されてもよいし、速度センサによって決定されてもよい。
【０１５４】
一例として、端末装置は、受信信号の到来角度に応じて、物理セル識別子を用いてセル接続を行うプロシジャと仮想セル識別子を用いてセル接続を行うプロシジャを、切り替えることができる。例えば、端末装置の上部から信号を受信した場合、物理セル識別子を用いてセル接続を行うプロシジャが適用され、端末装置の下部から信号を受信した場合、仮想セル識別子を用いてセル接続を行うプロシジャが適用される。
【０１５５】
物理セル識別子を用いてセル接続を行うプロシジャの一例として、ＣＲＳを用いてセル接続が行われる。
【０１５６】
物理セル識別子を用いてセル接続を行うプロシジャの一例として、ＰＤＣＣＨを用いてセル接続が行われる。
【０１５７】
仮想セル識別子を用いてセル接続を行うプロシジャの一例として、ＣＳＩ−ＲＳを用いてセル接続が行われる。
【０１５８】
仮想セル識別子を用いてセル接続を行うプロシジャの一例として、ＥＰＤＣＣＨを用いてセル接続が行われる。
【０１５９】
＜４．２．仮想セル識別子の通知・設定方法＞
基地局装置は、その基地局装置のカバレッジ上に設定されている仮想セル識別子の全て、または、一部をカバレッジ内に存在する端末装置に通知する。具体的には、基地局装置は、仮想セル識別子のセット（テーブル、数式）を端末装置に通知する。端末装置は、その仮想セル識別子のセットから、条件に応じて、適用する仮想セル識別子を選択する。
【０１６０】
仮想セル識別子のセットは、システム情報を用いて通知されることが望ましい。なお、ＭＩＢによって仮想セル識別子のセットが通知される場合、ＳＩＢの送信に対応するＰＤＣＣＨおよびＰＤＳＣＨは、仮想セル識別子に基づいて送信されることが望ましい。なお、ＳＩＢ１によって仮想セル識別子のセットが通知される場合、他のＳＩＢの送信に対応するＰＤＣＣＨおよびＰＤＳＣＨは、仮想セル識別子に基づいて送信されることが望ましい。なお、仮想セルに関する設定は、専用のＳＩＢによって通知されてもよい。
【０１６１】
図１０に、仮想セル識別子の設定シーケンスの一例を示す。先ず、基地局装置は、仮想セル識別子のテーブルを設定する。そして、基地局装置は、端末装置に対して仮想セル識別子のテーブルを通知する。端末装置は、仮想セル識別子テーブルを取得し、選択基準に応じて適用する仮想セル識別子を選択する。
【０１６２】
仮想セル識別子の選択基準の一例として、端末装置の位置が挙げられる。端末装置の位置が所定の高度の範囲内に存在する場合、対応する仮想セル識別子がセットから選択される。例えば、端末装置の位置が所定の高度範囲＃１内に存在する場合、仮想セル識別子＃１が選択され、端末装置の位置が所定の高度範囲＃２内に存在する場合、仮想セル識別子＃２が選択される。更に、端末装置は所定の高度以下では、仮想セル識別子を適用しなくてもよい。
【０１６３】
仮想セル識別子の選択基準の一例として、物理セルに紐付く参照信号の受信電力が挙げられる。周辺セルを含めた物理セルに紐付く参照信号の受信電力の相対値によって、対応する仮想セル識別子がセットから選択される。例えば、セル＃１の受信電力が最も高く、周囲セルからの受信電力とセル＃１の受信電力との相対値が所定閾値よりも大きい場合、仮想セル識別子＃１が選択される。例えば、セル＃１の受信電力が最も高く、周囲セルからの受信電力とセル＃１の受信電力との相対値が所定閾値よりも小さい場合、仮想セル識別子＃２が選択される。例えば、セル＃２の受信電力が最も高く、周囲セルからの受信電力とセル＃２の受信電力との相対値が所定閾値よりも大きい場合、仮想セル識別子＃３が選択される。
【０１６４】
仮想セル識別子の選択基準の一例として、物理セルに紐付く参照信号の到来方向が挙げられる。周辺セルを含めた物理セルに紐付く参照信号が所定の方向から到来している場合、対応する仮想セル識別子がセットから選択される。例えば、参照信号の到来方向が所定の到来方向の範囲＃１内である場合、仮想セル識別子＃１が選択され、参照信号の到来方向が所定の到来方向の範囲＃２内である場合、仮想セル識別子＃２が選択される。
【０１６５】
仮想セル識別子の選択基準の一例として、端末装置の移動速度が挙げられる。端末装置の移動速度が所定の範囲内である場合、対応する仮想セル識別子がセットから選択される。
【０１６６】
仮想セル識別子の選択基準の一例として、端末装置のフライトパスが挙げられる。端末装置のフライトパスが所定のフライトパスである場合、対応する仮想セル識別子がセットから選択される。換言すると、フライトパスのインデックスと仮想セル識別子が対応付けられる。
【０１６７】
仮想セル識別子の選択基準の一例として、端末装置が要求するトラフィックタイプが挙げられる。トラフィックタイプの要求条件（データレート、遅延、信頼性）に応じて、対応する仮想セル識別子がセットから選択される。例えば、端末装置が要求するトラフィックタイプがｅＭＢＢに相当する場合、仮想セル識別子＃１が選択され、端末装置が要求するトラフィックタイプがＵＲＬＬＣに相当する場合、仮想セル識別子＃２が選択される。
【０１６８】
なお、仮想セル識別子の選択基準は、上記の組み合わせであってもよい。例えば、端末装置の位置と参照信号の到来方向の組み合わせによって、対応する仮想セル識別子がセットから選択される。具体的には、端末装置は、端末装置が所定の高度に位置し、かつ、端末装置の上部から信号が到来した場合、仮想セル識別子＃１を選択し、端末装置が所定の高度に位置し、かつ、端末装置の下部から信号が到来した場合、仮想セル識別子＃２を選択する。
【０１６９】
仮想セル識別子の選択基準で用いられる物理セルに紐付く参照信号は、例えば、ＣＲＳ、ＤＲＳ（Discovery  Reference  Signal）が挙げられる。
【０１７０】
＜＜５．応用例＞＞
本開示に係る技術は、様々な製品へ応用可能である。例えば、基地局装置１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局装置１００は、ＮｏｄｅＢ又はＢＴＳ（Base  Transceiver  Station）などの他の種類の基地局として実現されてもよい。基地局装置１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局装置１００として動作してもよい。
【０１７１】
また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００は、これら端末に搭載される無線通信モジュール（例えば、１つのダイで構成される集積回路モジュール）であってもよい。
【０１７２】
＜５．１．基地局装置に関する応用例＞
（第１の応用例）
【０１７３】
図１１は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０１７４】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図１１に示したように複数のアンテナ８１０を有し、複数のアンテナ８１０は、例えばｅＮＢ８００が使用する複数の周波数帯域にそれぞれ対応してもよい。なお、図１１にはｅＮＢ８００が複数のアンテナ８１０を有する例を示したが、ｅＮＢ８００は単一のアンテナ８１０を有してもよい。
【０１７５】
基地局装置８２０は、コントローラ８２１、メモリ８２２、ネットワークインタフェース８２３及び無線通信インタフェース８２５を備える。
【０１７６】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０１７７】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０１７８】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０１７９】
無線通信インタフェース８２５は、図１１に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図１１に示したように複数のＲＦ回路８２７を含み、複数のＲＦ回路８２７は、例えば複数のアンテナ素子にそれぞれ対応してもよい。なお、図１１には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０１８０】
図１１に示したｅＮＢ８００において、図８を参照して説明した上位層処理部１０１、制御部１０３、受信部１０５及び／又は送信部１０７は、無線通信インタフェース８２５（例えば、ＢＢプロセッサ８２６及び／又はＲＦ回路８２７）、コントローラ８２１及び／又はネットワークインタフェース８２３において実装されてもよい。例えば、無線通信インタフェース８２５、コントローラ８２１及び／又はネットワークインタフェース８２３は、第一の制御情報及び第二の制御情報を送信したり、制御情報要求を受信して対応する第三の制御情報を送信したりする。例えば、無線通信インタフェース８２５に含まれるプロセッサにおいて、これらの動作を行うための機能が実装されてもよい。このような動作を行う装置として、ｅＮＢ８００、基地局装置８２０又は上記モジュールが提供されてもよく、プロセッサに上記動作を行わせるためのプログラムが提供されてもよい。また、上記プログラムを記録した読み取り可能な記録媒体が提供されてもよい。また、送受信アンテナ１０９は、アンテナ８１０において実装されてもよい。
【０１８１】
（第２の応用例）
図１２は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０１８２】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２７に示したように複数のアンテナ８４０を有し、複数のアンテナ８４０は、例えばｅＮＢ８３０が使用する複数の周波数帯域にそれぞれ対応してもよい。なお、図１２はｅＮＢ８３０が複数のアンテナ８４０を有する例を示したが、ｅＮＢ８３０は単一のアンテナ８４０を有してもよい。
【０１８３】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図１１を参照して説明したコントローラ８２１、メモリ８２２及びネットワークインタフェース８２３と同様のものである。
【０１８４】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図１１を参照して説明したＢＢプロセッサ８２６と同様のものである。無線通信インタフェース８５５は、図１２に示したように複数のＢＢプロセッサ８５６を含み、複数のＢＢプロセッサ８５６は、例えばｅＮＢ８３０が使用する複数の周波数帯域にそれぞれ対応してもよい。なお、図１２には無線通信インタフェース８５５が複数のＢＢプロセッサ８５６を含む例を示したが、無線通信インタフェース８５５は単一のＢＢプロセッサ８５６を含んでもよい。
【０１８５】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０１８６】
また、ＲＲＨ８６０は、接続インタフェース８６１及び無線通信インタフェース８６３を備える。
【０１８７】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０１８８】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図１２に示したように複数のＲＦ回路８６４を含み、複数のＲＦ回路８６４は、例えば複数のアンテナ素子にそれぞれ対応してもよい。なお、図１２には無線通信インタフェース８６３が複数のＲＦ回路８６４を含む例を示したが、無線通信インタフェース８６３は単一のＲＦ回路８６４を含んでもよい。
【０１８９】
図１２に示したｅＮＢ８３０において、図８を参照して説明した上位層処理部１０１、制御部１０３、受信部１０５及び／又は送信部１０７は、無線通信インタフェース８５５、無線通信インタフェース８６３（例えば、ＢＢプロセッサ８５６及び／又はＲＦ回路８６４）、コントローラ８５１及び／又はネットワークインタフェース８５３において実装されてもよい。例えば、無線通信インタフェース８５５、無線通信インタフェース８６３、コントローラ８５１及び／又はネットワークインタフェース８５３は、第一の制御情報及び第二の制御情報を送信したり、制御情報要求を受信して対応する第三の制御情報を送信したりする。例えば、無線通信インタフェース８５５及び／又は無線通信インタフェース８６３に含まれるプロセッサにおいて、これらの動作を行うための機能が実装されてもよい。このような動作を行う装置として、ｅＮＢ８３０、基地局装置８５０又は上記モジュールが提供されてもよく、プロセッサに上記動作を行わせるためのプログラムが提供されてもよい。また、上記プログラムを記録した読み取り可能な記録媒体が提供されてもよい。また、送受信アンテナ１０９は、アンテナ８４０において実装されてもよい。
【０１９０】
＜５．２．端末装置に関する応用例＞
（第１の応用例）
図１３は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０１９１】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０１９２】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０１９３】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図１３に示したように複数のＢＢプロセッサ９１３及び複数のＲＦ回路９１４を含んでもよい。なお、図１３には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０１９４】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０１９５】
アンテナスイッチ９１５の各々は、無線通信インタフェース９１２に含まれる複数の回路（例えば、異なる無線通信方式のための回路）の間でアンテナ９１６の接続先を切り替える。
【０１９６】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図１３に示したように複数のアンテナ９１６を有してもよい。なお、図１３にはスマートフォン９００が複数のアンテナ９１６を有する例を示したが、スマートフォン９００は単一のアンテナ９１６を有してもよい。
【０１９７】
さらに、スマートフォン９００は、無線通信方式ごとにアンテナ９１６を備えてもよい。その場合に、アンテナスイッチ９１５は、スマートフォン９００の構成から省略されてもよい。
【０１９８】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図１３に示したスマートフォン９００の各ブロックへ電力を供給する。補助コントローラ９１９は、例えば、スリープモードにおいて、スマートフォン９００の必要最低限の機能を動作させる。
【０１９９】
図１３に示したスマートフォン９００において、図９を参照して説明した上位層処理部２０１、制御部２０３、受信部２０５及び／又は送信部２０７は、無線通信インタフェース９１２（例えば、ＲＦ回路９１４及び／又はＢＢプロセッサ９１３）、プロセッサ９０１、及び／又は補助コントローラ９１９において実装されてもよい。例えば、無線通信インタフェース９１２、プロセッサ９０１、及び／又は補助コントローラ９１９は、第一の制御情報及び第二の制御情報を受信したり、制御情報要求を送信して対応する第三の制御情報を受信したりする。例えば、無線通信インタフェース９１２に含まれるプロセッサにおいて、これらの動作を行うための機能が実装されてもよい。このような動作を行う装置として、スマートフォン９００又は上記モジュールが提供されてもよく、プロセッサに上記動作を行わせるためのプログラムが提供されてもよい。また、上記プログラムを記録した読み取り可能な記録媒体が提供されてもよい。また、送受信アンテナ２０９は、アンテナ９１６において実装されてもよい。
【０２００】
（第２の応用例）
図１４は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０２０１】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２０２】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２０３】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２０４】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図１４に示したように複数のＢＢプロセッサ９３４及び複数のＲＦ回路９３５を含んでもよい。なお、図１４には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０２０５】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０２０６】
アンテナスイッチ９３６の各々は、無線通信インタフェース９３３に含まれる複数の回路（例えば、異なる無線通信方式のための回路）の間でアンテナ９３７の接続先を切り替える。
【０２０７】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図１４に示したように複数のアンテナ９３７を有してもよい。なお、図１４にはカーナビゲーション装置９２０が複数のアンテナ９３７を有する例を示したが、カーナビゲーション装置９２０は単一のアンテナ９３７を有してもよい。
【０２０８】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０２０９】
バッテリー９３８は、図中に破線で部分的に示した給電ラインを介して、図１４に示したカーナビゲーション装置９２０の各ブロックへ電力を供給する。また、バッテリー９３８は、車両側から給電される電力を蓄積する。
【０２１０】
図１４に示したカーナビゲーション装置９２０において、図９を参照して説明した上位層処理部２０１、制御部２０３、受信部２０５及び／又は送信部２０７は、無線通信インタフェース９３３（例えば、ＲＦ回路９３５及び／又はＢＢプロセッサ９３４）及び／又はプロセッサ９２１において実装されてもよい。例えば、無線通信インタフェース９３３及び／又はプロセッサ９２１は、第一の制御情報及び第二の制御情報を受信したり、制御情報要求を送信して対応する第三の制御情報を受信したりする。例えば、無線通信インタフェース９３３に含まれるプロセッサにおいて、これらの動作を行うための機能が実装されてもよい。このような動作を行う装置として、カーナビゲーション装置９２０又は上記モジュールが提供されてもよく、プロセッサに上記動作を行わせるためのプログラムが提供されてもよい。また、上記プログラムを記録した読み取り可能な記録媒体が提供されてもよい。また、送受信アンテナ２０９は、アンテナ９３７において実装されてもよい。
【０２１１】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０２１２】
なお、上述の説明でｅＮＢとして示したものは、ｇＮＢ（gNodeB、next  Generation  NodeB）であってもよい。
【０２１３】
＜＜６．まとめ＞＞
以上説明したように本開示によれば、基地局装置と通信装置が通信する無線通信システムにおいて、伝送効率の向上を可能とする。
【０２１４】
本明細書の各装置が実行する処理における各ステップは、必ずしもシーケンス図またはフローチャートとして記載された順序に沿って時系列に処理する必要はない。例えば、各装置が実行する処理における各ステップは、フローチャートとして記載した順序と異なる順序で処理されても、並列的に処理されてもよい。
【０２１５】
また、各装置に内蔵されるＣＰＵ、ＲＯＭおよびＲＡＭなどのハードウェアを、上述した各装置の構成と同等の機能を発揮させるためのコンピュータプログラムも作成可能である。また、該コンピュータプログラムを記憶させた記憶媒体も提供されることが可能である。また、機能ブロック図で示したそれぞれの機能ブロックをハードウェアで構成することで、一連の処理をハードウェアで実現することもできる。
【０２１６】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２１７】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２１８】
なお、以下のような構成も本開示の技術的範囲に属する。
（１）
仮想セルを示す識別子のセットを含んだシステム情報を受信する受信部と、
前記セットから適用する仮想セル識別子を選択する設定部と、を備える、
通信装置。
（２）
前記設定部は、高度を含む当該通信装置の位置情報に基づいて、前記仮想セル識別子を選択する
前記（１）に記載の通信装置。
（３）
前記設定部は、ＣＲＳで測定されるＲＳＲＰに基づいて、前記仮想セル識別子を選択する、
前記（１）に記載の通信装置。
（４）
前記設定部は、当該通信装置の移動速度に基づいて、前記仮想セル識別子を選択する、
前記（１）に記載の通信装置。
（５）
前記仮想セル識別子は、ＲＲＭ測定のためのＣＳＩ−ＲＳの設定に関連付けられる、
前記（１）〜（４）のいずれかに記載の通信装置。
（６）
前記仮想セル識別子は、物理チャネルのスクランブルに用いられる、
前記（１）〜（５）のいずれかに記載の通信装置。
（７）
前記仮想セル識別子は、参照信号のシーケンスの生成に用いられる、
前記（１）〜（５）のいずれかに記載の通信装置。
（８）
前記仮想セル識別子は、ＲＡＣＨの設定に用いられる、
前記（１）〜（５）のいずれかに記載の通信装置。
（９）
空中を浮遊する通信装置である、前記（１）〜（８）のいずれかに記載の通信装置。
（１０）
複数の仮想セルを示す識別子を設定する設定部と、
前記仮想セル識別子のセットを含んだシステム情報を送信する送信部と、を備える、
基地局装置。
（１１）
仮想セルを示す識別子のセットを含んだシステム情報を受信することと、
前記セットから適用する仮想セル識別子を選択すること、
を含む、プロセッサにより実行される方法。
（１２）
コンピュータに、
仮想セルを示す識別子のセットを含んだシステム情報を受信することと、
前記セットから適用する仮想セル識別子を選択すること、
を実行させる、コンピュータプログラム。
【符号の説明】
【０２１９】
１００  基地局装置
１０１    上位層処理部
１０３    制御部
１０５    受信部
１０５１    復号化部
１０５３    復調部
１０５５    多重分離部
１０５７    無線受信部
１０５９    チャネル測定部
１０７    送信部
１０７１    符号化部
１０７３    変調部
１０７５    多重部
１０７７    無線送信部
１０７９    下りリンク参照信号生成部
１０９    送受信アンテナ
１１０    設定部
１２０    選択部
１３０    メッセージ送受信部
２００  端末装置
２０１    上位層処理部
２０３    制御部
２０５    受信部
２０５１    復号化部
２０５３    復調部
２０５５    多重分離部
２０５７    無線受信部
２０５９    チャネル測定部
２０７    送信部
２０７１    符号化部
２０７３    変調部
２０７５    多重部
２０７７    無線送信部
２０７９    上りリンク参照信号生成部
２０９    送受信アンテナ
２１０    選択部
２２０    メッセージ送受信部
【図１】
2019159777.tif 000003
【図２】
2019159777.tif 000004
【図３】
2019159777.tif 000005
【図４】
2019159777.tif 000006
【図５】
2019159777.tif 000007
【図６】
2019159777.tif 000008
【図７】
2019159777.tif 000009
【図８】
2019159777.tif 000010
【図９】
2019159777.tif 000011
【図１０】
2019159777.tif 000012
【図１１】
2019159777.tif 000013
【図１２】
2019159777.tif 000014
【図１３】
2019159777.tif 000015
【図１４】
2019159777.tif 000016
【国際調査報告】
2019159777.tif 000017
2019159777.tif 000018
2019159777.tif 000019
2019159777.tif 000020